(57)【要約】【課題】  本考案は、大型コンクリートブロックの底板の数カ所を支える回転ボールを設置して、前記回転ボールにより左右調節を行うことができる大型コンクリートブロックのボルトジャッキローラーを提供するものである。【解決手段】  本考案の大型コンクリートブロックのボルトジャッキローラーは、鋼球から形成されてなる回転ボール２と、該回転ボール２を固定すると共に外周面にねじ山を有する円柱状のボルト部と、該ボルト部の軸心方向に所定長さを有する柱状の胴部６と、該胴部６の先端近傍に直交する方向に延設された回転ハンドル７とからなり、大型コンクリートブロックに埋設された、前記ボルト部のねじ山と螺合するねじ谷を有する円筒状の受け金具１０と組合せて使用される。【選択図】  図４
0003104252.tif 000002
【実用新案登録請求の範囲】
【請求項１】
鋼球から形成されてなる回転ボールと、該回転ボールを回転可能に上面側を抱持する回転ボール止めカバーと、該回転ボールカバーを一体に固定すると共に外周面にねじ山を有する前記回転ボールより大径の円柱状のボルト部と、該ボルト部の軸心方向に一体に連結され、所定長さを有する柱状の胴部と、該胴部の先端近傍に直交する方向に延設された回転ハンドルとからなり、大型コンクリートブロックに埋設された、前記ボルト部のねじ山と螺合するねじ谷を有する円筒状のナット部と、該ナット部の下端外周縁に一体に形成された円環板状の底受け鉄輪とからなる受け金具と組合せて使用されることを特徴とする大型コンクリートブロックのボルトジャッキローラー。
【請求項２】
前記ボルトジャッキローラーの胴部中央を軸方向に貫通して回転ボールに当接させることができるストッパー杆と、該ストッパー杆の上端部に設けたストッパー杆回転ハンドルとを設けて、前記ストッパー杆回転ハンドルを回転させることにより、ストッパー杆を上下動させて回転ボールを開放又は固定することを特徴とする請求項１記載の大型コンクリートブロックのボルトジャッキローラー。
【考案の詳細な説明】
【技術分野】
【０００１】
本考案は、擁壁、排水溝、排水暗渠等を作る時に使用する擁壁ブロック、排水溝ブロック、排水暗渠ブロックなどの大型コンクリートブロックを敷設する際に使用する大型コンクリートブロックのボルトジャッキローラーに関する。
【背景技術】
【０００２】
従来、例えば擁壁ブロックを施工するに当っては、擁壁ブロックをトラッククレーン等で基礎面上に降ろし、所定の位置に前後を合わせて隣の擁壁ブロックと並べた上で、擁壁板の左右側端部同士を正しく突合せていた。
しかし、基礎面上が必ずしも平坦でないから夫々の擁壁板の左右側縁を正しく突合せた上で、擁壁板の前面を面一に並べることは極めて困難であった。
そのため、トラッククレーン等で擁壁ブロックを吊り上げ、基礎面と底板との間に介在物を介入し、押動して側縁を正しく突合せ且つ擁壁板の前面が面一になるように是正していたが、この擁壁ブロックが大型であるため大変厄介な作業となり、それだけ作業能率を低下させる欠点があった。
これを解消するものとして、大型コンクリートブロックの底板の周縁数カ所下側から支える上下調節装置を配設して、この上下調節装置のボルトを回動させることにより底板の基礎面よりの高さを上下に微調節するものが公知となっている（特許文献１を参照）。
【０００３】
【特許文献１】特開平１０−２５９６１４号公報
【考案の開示】
【考案が解決しようとする課題】
【０００４】
本考案は、大型コンクリートブロックの底板の数カ所を支えるボルトジャッキローラーを設置して、このボルトジャッキローラーのボルト部を回動させることにより底板を基礎面から浮かせて高さ調整し、押動により大型コンクリートブロックの左右調節を行うことができる大型コンクリートブロックのボルトジャッキローラーを提供するものである。
【課題を解決するための手段】
【０００５】
本考案の大型コンクリートブロックのボルトジャッキローラーは、鋼球から形成されてなる回転ボールと、該回転ボールを回転可能に上面側を抱持する回転ボール止めカバーと、該回転ボールカバーを一体に固定すると共に外周面にねじ山を有する前記回転ボールより大径の円柱状のボルト部と、該ボルト部の軸心方向に一体に連結され、所定長さを有する柱状の胴部と、該胴部の先端近傍に直交する方向に延設された回転ハンドルとからなり、大型コンクリートブロックに埋設された、前記ボルト部のねじ山と螺合するねじ谷を有する円筒状のナット部と、該ナット部の下端外周縁に一体に形成された円環板状の底受け鉄輪とからなる受け金具と組合せて使用されるものである。
さらに、前記ボルトジャッキローラーの胴部中央を軸方向に貫通して回転ボールに当接させることができるストッパー杆と、該ストッパー杆の上端部に設けたストッパー杆回転ハンドルとを設けて、前記ストッパー杆回転ハンドルを回転させることにより、ストッパー杆を上下動させて回転ボールを開放又は固定することができるものである。
【考案の効果】
【０００６】
本考案の大型コンクリートブロックのボルトジャッキローラーによれば、ボルト部を回動させることにより底板を基礎面から浮かせて高さ調整し、押動により大型コンクリートブロックの左右調節を行うことができる効果がある。
本考案の大型コンクリートブロックのボルトジャッキローラーによれば、安価且つ簡単な構造で安全に大型コンクリートブロックの据付けを行うことができる効果がある。
【考案を実施するための最良の形態】
【０００７】
本考案の大型コンクリートブロックのボルトジャッキローラーは、鋼球から形成されてなる回転ボールと、該回転ボールを回転可能に上面側を抱持する回転ボール止めカバーと、該回転ボールカバーを一体に固定すると共に外周面にねじ山を有する前記回転ボールより大径の円柱状のボルト部と、該ボルト部の軸心方向に一体に連結され、所定長さを有する柱状の胴部と、該胴部の先端近傍に直交する方向に延設された回転ハンドルとからなるものである。
さらに、前記大型コンクリートブロックのボルトジャッキローラーは、大型コンクリートブロックに埋設された、前記ボルト部のねじ山と螺合するねじ谷を有する円筒状のナット部と、該ナット部の下端外周縁に一体に形成された円環板状の底受け鉄輪とからなる受け金具と組合せて使用されるものである。
【実施例】
【０００８】
以下、本考案の一実施例を図面に基づいて説明すると、
図１の正面図に示すように、本考案のボルトジャッキローラー１は、鋼球から形成されてなる回転ボール２と、該回転ボール２を回転可能に上面側を抱持する回転ボール止めカバー３と、該回転ボール止めカバー３を一体に固定すると共に外周面にねじ山４を有する前記回転ボール２より大径の円柱状のボルト部５と、該ボルト部５の軸心方向に一体に連結され、所定長さを有する柱状の胴部６と、該胴部６の先端近傍に直交する方向に延設された回転ハンドル７とからなる。
前記回転ボール２は、大型コンクリートブロックの荷重を支持することが出来る強度を有する鋼球から形成され、前記大型コンクリートブロックの荷重を支持した状態で自転できるものである。
【０００９】
前記回転ボール止めカバー３は、金属製で鋼球の上面側２／３を覆い、鋼球が自由に回転できるように摩擦を軽減する構造、例えばボールベアリングにより鋼球を支持する構造に形成し、さらに前記回転ボール止めカバー３全体は、前記ボルト部５の先端にボルト止め（図示せず）等により固定する。
前記胴部６は、強度が十分な中実金属製で断面形状は問わないが、軽量とするためには中空の肉厚パイプなどを使用することができる。
前記回転ハンドル７は、金属製丸棒で前記胴部６先端近傍に溶接固定され、１本でも良いが回転を円滑に行うには相対向する方向で２本以上設けた方が良い。
また、前記胴部６下方の前記ボルト部５近傍には、前記胴部６に一体に固定されたフ字状の吊りフック８を溶接固定する。
【００１０】
さらに、本考案のボルトジャッキローラー１と組み合わされる、前記ボルト部５のねじ山４と螺合するねじ谷９を有する受け金具１０を別個に設ける。
図２の縦断面図、図３の平面図に示すように、前記受け金具１０は、金属製で内側に前記ボルト部５のねじ山４と螺合するねじ谷９を有する円筒状のナット部１１と、該ナット部１１の下端外周縁に一体に形成された円環板状の底受け鉄輪１２と、ナット部１１外周面に設けたコンクリート接筋１３とからなる。
なお、前記受け金具１０は、大型コンクリートブロックの底部の厚さに合わせて前記ナット部１１が形成され、大型コンクリートブロックの底部に上下貫通となるようにナット部１１及び底受け鉄輪１２が埋設される。
【００１１】
次に、本考案のボルトジャッキローラー１を使用した大型コンクリートブロック、例えばＵ字側溝の据え付け作業について以下に説明する。
あらかじめＵ字側溝底部２０に全体のバランスを考えて複数個所に受け金具１０が上下貫通となるようにナット部１１及び底受け鉄輪１２を埋設させる。
なお、ブロック成型工場でＵ字側溝を形成する際に前記受け金具１０を埋設成型させても良いし、既製のＵ字側溝底部１３に機械工具で貫通穴をあけてその貫通穴に前記受け金具１０を挿入してセメントモルタルで固定しても良い。
このようにして底部１３に前記受け金具１０が埋設されたＵ字側溝に、図４に示すように、工事作業現場において前記受け金具１０のすべてに対してボルトジャッキローラー１のボルト部５を内側から回転ハンドル７を廻して捩じ込み、前記回転ボール２が少し露出する状態まで捩じ込む。
この状態で夫々のボルトジャッキローラー１の吊りフック８にワイヤーロープ等を引っかけてＵ字側溝を吊り上げ、Ｕ字側溝を据え付け位置へ吊り移送する。
【００１２】
Ｕ字側溝の据え付け位置では、予め現場打ちでベースコンクリートが固設されており、ほぼ平坦な基礎面が形成されている。
なお、基礎面にベースコンクリートが固設されていない場合には、図５に示すように、前記受け金具１０がほぼ位置する基礎面範囲に（ａ）平面図及び（ｂ）断面図に示す周縁に突堤１８を有するコンクリートベースブロック１７又は（ｃ）断面図に示す鉄板１９を設置することで対応する。
次に、既設したＵ字側溝に合わせながら、新規のＵ字側溝を据え付け位置へ移送し、ほぼ隣接状態に位置合わせを行って基礎面上に載置する。
なお、この状態でも前記回転ボール２は少し露出しているので、Ｕ字側溝を押動することにより前記回転ボール２が自転して移動させることが出来る。
次に、丁張りロープに合わせて、ボルトジャッキローラー１のボルト部５を捻転させて高さ位置調整を行うと共にＵ字側溝を左右押動して前記ボルトジャッキローラー１の回転ボール２により左右位置調整を行う。
前記調整終了後に基礎面とＵ字側溝の底部との間に広葉樹木クサビを挟み込み、前記ボルトジャッキローラー１を取り外してＵ字側溝を定位置に据え付けする。
【００１３】
なお、前述のようにＵ字側溝を固定するために広葉樹木クサビを使用したが、図６に示すように、前記ボルトジャッキローラー１の胴部６中央を軸方向に貫通して回転ボール２に当接させることができるストッパー杆１４を設け、該ストッパー杆１４の上端部に設けたストッパー杆回転ハンドル１５と、前記ストッパー杆１４周縁に設けたネジ部１６に螺合するネジ部を前記胴部６に設ける。
そして、前記ストッパー杆回転ハンドル１５を回転させることにより、ストッパー杆１４をネジ部１６により上下動させて回転ボール２を開放又は固定することができる。
また、図７に示すように、胴部６の回転ハンドル７を円輪とし、ストッパー杆回転ハンドル１５も同様に円輪とすることにより、把持個所を特別選択することなく回転させることができる。
【００１４】
据え付け完了後、すなわち前記ボルトジャッキローラー１を取り外した後、前記受け金具１０のナット部１１からセメントモルタル注入や砂の水シメ等を行い、Ｕ字側溝を完全に据え付け固定する。
なお、セメントモルタル注入や砂の水シメ等が不十分と考えられる場合には、あらかじめＵ字側溝の底部の適宜位置、例えば受け金具１０と受け金具１０との中間位置にモルタル注入孔を穿設して置けば良い。
さらに、取り外した前記ボルトジャッキローラー１は、次の新規のＵ字側溝に再使用することができる。
なお、実施例としてＵ字側溝により説明をしたが、これに限らず、擁壁ブロック、排水溝ブロック、排水暗渠ブロックなどの大型コンクリートブロックであれば同様に行うことが出来る。
【図面の簡単な説明】
【００１５】
【図１】本考案のボルトジャッキローラーの正面図である。
【図２】本考案の受け金具の縦断面図である。
【図３】本考案の受け金具の平面図であるである。
【図４】本考案のボルトジャッキローラーの使用状態の一部断面正面図である。
【図５】本考案のコンクリートベースブロックの（ａ）正面図、（ｂ）断面図及び鉄板の（ｃ）断面図である。
【図６】本考案のボルトジャッキローラーにストッパー杆を設けた正面図である。
【図７】本考案の回転ハンドル及びストッパー杆回転ハンドルの平面図である。
【符号の説明】
【００１６】
１  ボルトジャッキローラー
２  回転ボール
３  回転ボール止めカバー
４  ねじ山
５  ボルト部
６  胴部
７  回転ハンドル
８  吊りフック
９  ねじ谷
１０  受け金具
１１  ナット部
１２  底受け鉄輪
１３  コンクリート接筋
１４  ストッパー杆
１５  ストッパー杆回転ハンドル
１６  ネジ部
１７  コンクリートベースブロック
１８  突堤
１９  鉄板
２０  Ｕ字側溝底部
【図１】
0003104252.tif 000003
【図２】
0003104252.tif 000004
【図３】
0003104252.tif 000005
【図４】
0003104252.tif 000006
【図５】
0003104252.tif 000007
【図６】
0003104252.tif 000008
【図７】
0003104252.tif 000009